(57)【要約】      （修正有）【課題】簡便に、位置精度高く二本のリード線を有する電子部品を取り付けできる電子部品の保持構造に関する技術を提供する。【解決手段】二本のリード線１３Ａ、１３Ｃを有する電子部品１０の保持構造は、二本のリード線を有する電子部品を取り付ける取付ユニット１０００と、前記電子部品を、二本のリード線の長さを制限可能に前記取付ユニットに取り付けるガイド部材２１と、前記電子部品を複数の方向から挟み込んで前記電子部品の取付方向を制限する保持部材２２Ｒ、２２Ｌと、を備える。【選択図】図１０
2011134980.tif 000002
【特許請求の範囲】
【請求項１】
二本のリード線を有する電子部品を取り付ける取付ユニットと、
前記電子部品を、二本のリード線の長さを制限可能に前記取付ユニットに取り付けるガイド部材と、
前記電子部品を複数の方向から挟み込んで前記電子部品の取付方向を制限する保持部材と、
を備えることを特徴とする二本のリード線を有する電子部品の保持構造。
【請求項２】
請求項１に記載の保持構造であって、
前記ガイド部材は、前記取付ユニットから突出する板状部材であり、前記リード線の間に挟まれて設けられる、
ことを特徴とする保持構造。
【請求項３】
請求項２に記載の保持構造であって、
前記ガイド部材の端部は、前記取付ユニット上で前記リード線の取付位置を中心とする弧を形成する、
ことを特徴とする保持構造。
【請求項４】
請求項３に記載の保持構造であって、
前記ガイド部材の弧を形成する端部は、前記保持部材により制限する方向に応じたストッパ部が形成されている、
ことを特徴とする保持構造。
【請求項５】
請求項１〜４のいずれか一項に記載の保持構造であって、
前記保持部材は、前記取付ユニットに設けられた突起であり、前記電子部品の左右方向の移動を制限する、
ことを特徴とする保持構造。
【請求項６】
請求項５に記載の保持構造であって、
前記保持部材は、二本の突起で形成され、各突起は、前記電子部品を挟み込み固定する爪を備える、
ことを特徴とする保持構造。
【請求項７】
請求項１〜６のいずれか一項に記載の保持構造であって、
前記取付ユニット上において、前記リード線の取付位置と前記保持部材との間に、前記リード線を曲げる支点となる突起部を備える、
ことを特徴とする保持構造。
【請求項８】
二本のリード線を有する電子部品を取り付ける取付ユニットを備える電子機器であって、
前記取付ユニットには、
前記電子部品を、二本のリード線の長さを制限可能に前記取付ユニットに取り付けるガイド部材と、
前記電子部品を複数の方向から挟み込んで前記電子部品の取付方向を制限する保持部材と、
を備えることを特徴とする電子機器。
【発明の詳細な説明】
【技術分野】
【０００１】
本発明は、二本のリード線を有する電子部品を取り付ける技術に関するものである。
【背景技術】
【０００２】
従来、プリント基板の端部に切り込みを設けてＬＥＤを取付けるための分離基板とし、分離基板をプリント基板と略垂直に連結するためのヒンジ機構を備えるＬＥＤの支持構造に関する技術が用いられている。特許文献１には、このような支持構造についての技術が記載されている。
【先行技術文献】
【特許文献】
【０００３】
【特許文献１】特開平９−３２６５７５号公報
【発明の概要】
【発明が解決しようとする課題】
【０００４】
しかし、上記のようなＬＥＤの支持構造においては、取り付けの際にＬＥＤを分離基板に一度取り付けて、分離基板をプリント基板から折り曲げてヒンジ機構を利用して取り付ける必要があり、ＬＥＤの照射方向に高い精度が要求される製品等においては、ＬＥＤの取り付け精度（リード線の長さや先端部のぐらつき等の精度）を出すには熟練が必要となる。
【０００５】
本発明の目的は、簡便に、位置精度高く二本のリード線を有する電子部品を取り付けできる電子部品の保持構造に関する技術を提供することにある。
【課題を解決するための手段】
【０００６】
上記課題を解決すべく、本発明に係る二本のリード線を有する電子部品の保持構造は、前記電子部品を取り付ける取付ユニットと、前記電子部品を、二本のリード線の長さを制限可能に前記取付ユニットに取り付けるガイド部材と、前記電子部品を複数の方向から挟み込んで前記電子部品の取付方向を制限する保持部材と、を備えることを特徴とする。
【０００７】
また、本発明に係る二本のリード線を有する電子部品を取り付ける取付ユニットを備える電子機器は、前記取付ユニットには、前記電子部品を、二本のリード線の長さを制限可能に前記取付ユニットに取り付けるガイド部材と、前記電子部品を複数の方向から挟み込んで前記電子部品の取付方向を制限する保持部材と、を備えることを特徴とする。
【発明の効果】
【０００８】
本願発明によれば、簡便に、精度高く二本のリード線を有する電子部品を取り付けることが可能となる。
【図面の簡単な説明】
【０００９】
【図１】図１は、基板上に複数のＬＥＤを取り付けるＬＥＤ取付ユニットの外観を示す図である。
【図２】図２は、ＬＥＤ取付ユニットのＷ方向からみた側面を示す図である。
【図３】図３は、ＬＥＤ取付ユニットのＢ−Ｂ断面を示す図である。
【図４】図４は、ＬＥＤ取付ユニットのＸ方向からみた側面を示す図である。
【図５】図５は、ＬＥＤ取付ユニットのＤ−Ｄ断面を示す図である。
【図６】図６は、ＬＥＤ取付ユニットのＹ方向からみた側面を示す図である。
【図７】図７は、ＬＥＤ取付ユニットのＡ−Ａ断面を示す図である。
【図８】図８は、ＬＥＤ取付ユニットのＺ方向からみた側面を示す図である。
【図９】図９は、ＬＥＤ取付ユニットのＣ−Ｃ断面を示す図である。
【図１０】図１０は、ＬＥＤを取り付ける作業状態を示す斜視図である。
【発明を実施するための形態】
【００１０】
以下に、本発明の一つの実施形態を適用したＬＥＤ取付ユニット１０００について、図面を参照して説明する。
【００１１】
図１に、ＬＥＤ取付ユニット１０００の全体の外観を示す。本実施形態におけるＬＥＤ取付ユニット１０００には、複数のＬＥＤが取り付けられる。なお、取り付けられる各ＬＥＤは、それぞれ照射方向の指向性が強い発光体であって、したがってＬＥＤが取り付けられる方向の精度が重要であるものとする。例えば、ＬＥＤ取付ユニット１０００は、車両の内装の天井部に取り付けられるヘッドセット用信号発信部である。ヘッドセットは車両の搭乗者が各人装着して使用するものであり、ヘッドセット用信号発信部は、ＬＥＤを用いて各ヘッドセットに対して音声情報等を含む信号を発信する。当該ヘッドセット用信号発信部は、座席ごとに独立したＬＥＤを用いて信号を発信するため、指向性を強くする必要があるとともに、発信する方向の精度が要求される。なお、以下の説明においては、ＬＥＤ取付ユニット１０００のＬＥＤ発光部が設けられる面を上面（上方向）として、また、ＬＥＤの照射軸上からＬＥＤを見た位置を左右の基準として説明する。
【００１２】
図１（ａ）に示すＬＥＤ取付ユニット１０００は、例えば、一列目左側座席の搭乗者のための第一の信号発信部１００と、二列目左側座席の搭乗者のための第二の信号発信部２００と、一列目右側座席の搭乗者のための第三の信号発信部３００と、二列目右側座席の搭乗者のための第四の信号発信部４００と、を備える。なお、ＬＥＤ取付ユニット１０００は、通電しにくい樹脂製である。ただし、基板２０００およびＬＥＤのリード線から絶縁可能であれば金属製でもよい。
【００１３】
図１（ｂ）は、図１（ａ）に示すＬＥＤ取付ユニット１０００をＷ方向からみた側面図である。ＬＥＤ取付ユニット１０００は、基板２０００の上面を覆うカバーを兼ねており、基板２０００の取付側に突出する複数の係合爪１０００ａを備える。ＬＥＤ取付ユニット１０００は、基板２０００の所定の位置に設けられた複数の穴に、ＬＥＤ取付ユニット１０００の係合爪１０００ａを挿入されることで、基板へ取り付けられる。また、基板２０００には、各信号発信部のＬＥＤのリード線を取り付けるための差込孔を備え、ＬＥＤのリード線（アノード、カソードの各ピン）は差込孔へ差し込まれてはんだ付け等により基板に固定される。
【００１４】
図２は、第一の信号発信部１００の周辺を拡大してＷ方向からみた側面図である。また、図３は、第一の信号発信部１００の周辺について、ＬＥＤ取付ユニット１０００のＢ−Ｂ線によるＷ方向から見た断面図である。第一の信号発信部１００は、ＬＥＤを所定の方向に固定して取り付けるための部材を備える。ＬＥＤは、アノード側リード線１１３Ａとカソード側リード線１１３Ｃとを有し、両リード線の間に電流が流れると発光する。発光部は、円筒状の形状を有する円筒部１１１と、当該円筒部１１１の先端を形成するドーム部１１２と、を有する。
【００１５】
第一の信号発信部１００は、ＬＥＤのアノード側リード線１１３Ａとカソード側リード線１１３Ｃとの間に位置するよう設けられた曲げガイド板１２１と、ＬＥＤの円筒部１１１の外周を複数の方向（例えば、左右方向）から挟み込んで支持する支持爪（左側支持爪１２２Ｌ、右側支持爪１２２Ｒ）と、ＬＥＤのカソード側リード線１１３Ｃおよびアノード側リード線１１３Ａによりそれぞれ貫通される左側ガイド孔１２３Ｌ、右側ガイド孔１２３Ｒと、ＬＥＤのカソード側リード線１１３Ｃおよびアノード側リード線１１３ＡをＬＥＤの取付方向に応じて折り曲げる支点となる曲げ支点部１２４と、を備える。なお、ＬＥＤのアノード側リード線１１３Ａにより貫通される右側ガイド孔１２３Ｒは、曲げガイド板１２１を軸として左側ガイド孔１２３Ｌと対称の位置に設けられている。
【００１６】
曲げガイド板１２１は、板厚がＬＥＤのアノード側リード線１１３Ａとカソード側リード線１１３Ｃとの間に収まる程度（例えば、１ｍｍ程度）であり、ＬＥＤ取付ユニット１０００の上面と略垂直になるよう設けられている。また、曲げガイド板１２１の、ＬＥＤ取付ユニット１０００の上面から遠い上辺１２１Ｇは、左側ガイド孔１２３Ｌからの距離が略等距離となる弧状に形成されている。曲げガイド板１２１は、さらに、ストッパ部１２１Ｓを備える。ストッパ部１２１Ｓは、ＬＥＤの取付角度に応じて、円筒部１１１のリード線が設けられた側の平面（以下、ＬＥＤ底面とする）と、円筒部１１１の側面のうちＬＥＤ取付ユニット１０００の上面に最も接近する部位と、の二面を支持するためにある。ストッパ部１２１Ｓのうち、円筒部１１１の側面を支持する面は、ＬＥＤの照射軸と平行に形成され、ＬＥＤの底面を支持する面は、ＬＥＤの照射軸に垂直に形成される。
【００１７】
左側支持爪１２２Ｌおよび右側支持爪１２２Ｒは、ＬＥＤの円筒部１１１を挟みこむように配置され、それぞれの爪の先端部が互いに近づく方向に所定の角度で曲げられている。当該角度は、少なくともＬＥＤの組み付けを阻害せず、かつ、組み付けられたＬＥＤを支持可能な程度（例えば、３６０度法による１３０度程度の鈍角）であればよい。また、支持爪のうちＬＥＤの円筒部１１１と接する面は、ＬＥＤの円筒部の曲率に合うように形成されており、かつ、ＬＥＤの円筒部が上下方向にぐらつかないように、円筒部の下面の一部を支えるように面取されている。
【００１８】
曲げ支点部１２４は、ＬＥＤのカソード側リード線１１３Ｃおよびアノード側リード線１１３ＡをＬＥＤの取付方向に応じて折り曲げる際に、折り曲げの支点となる位置でリード線と接するように面取されて設けられる。なお、曲げ支点部１２４は、リード線を曲げる際にかかる力を支点に集中させることで、曲げ位置を安定させて円筒部１１１とリード線との接合部のねじれ等によるリード線の断線や取付精度の低下を防ぐためのものである。
【００１９】
一般に、ＬＥＤのリード線は塑性が強いため、一度曲がると曲がり癖がついてしまうことがある。このような性質から、曲げ支点部１２４と、右側ガイド孔１２３Ｒ、左側ガイド孔１２３Ｌにより曲げの自由度を奪い、何度もフォーミングされることを避けることが精度向上に有効である。
【００２０】
図４は、第二の信号発信部２００の周辺を拡大してＸ方向からみた側面図である。また、図５は、第二の信号発信部２００の周辺について、ＬＥＤ取付ユニット１０００のＤ−Ｄ線によるＸ方向から見た断面図である。第二の信号発信部２００は、ＬＥＤを所定の方向に固定して取り付けるための部材を備える。ＬＥＤは、アノード側リード線２１３Ａとカソード側リード線（２１３Ｃ）とを有し、両リード線の間に電流が流れると発光する。発光部は、円筒状の形状を有する円筒部２１１と、当該円筒部２１１の先端を形成するドーム部２１２と、を有する。
【００２１】
第二の信号発信部２００は、ＬＥＤのアノード側リード線２１３Ａとカソード側リード線２１３Ｃとの間に位置するよう設けられた曲げガイド板２２１と、ＬＥＤの円筒部２１１の外周を複数の方向（例えば、左右方向）から挟み込んで支持する支持爪（右側支持爪２２２Ｒ、左側支持爪２２２Ｌ）と、ＬＥＤのアノード側リード線２１３Ａおよびカソード側リード線２１３Ｃによりそれぞれ貫通される右側ガイド孔２２３Ｒ、左側ガイド孔２２３Ｌと、ＬＥＤのアノード側リード線２１３Ａおよびカソード側リード線２１３ＣをＬＥＤの取付方向に応じて折り曲げる支点となる曲げ支点部２２４と、を備える。なお、ＬＥＤのカソード側リード線２１３Ｃにより貫通される左側ガイド孔２２３Ｌは、曲げガイド板２２１を軸として右側ガイド孔２２３Ｒと対称の位置に設けられている。
【００２２】
曲げガイド板２２１は、板厚がＬＥＤのアノード側リード線２１３Ａとカソード側リード線２１３Ｃとの間に収まる程度（例えば、１ｍｍ程度）であり、ＬＥＤ取付ユニット１０００の上面と略垂直になるよう設けられている。また、曲げガイド板２２１の、ＬＥＤ取付ユニット１０００の上面から遠い上辺２２１Ｇは、右側ガイド孔２２３Ｒからの距離が略等距離となる弧状に形成されている。曲げガイド板２２１は、さらに、ストッパ部２２１Ｓを備える。ストッパ部２２１Ｓは、ＬＥＤの取付角度に応じて、円筒部２１１のリード線が設けられた側の平面（以下、ＬＥＤ底面とする）と、円筒部２１１の側面のうちＬＥＤ取付ユニット１０００の上面に最も接近する部位と、の二面を支持するためにある。ストッパ部２２１Ｓのうち、円筒部２１１の側面を支持する面は、ＬＥＤの照射軸と平行に形成され、ＬＥＤの底面を支持する面は、ＬＥＤの照射軸に垂直に形成される。
【００２３】
右側支持爪２２２Ｒおよび左側支持爪２２２Ｌは、ＬＥＤの円筒部２１１を挟みこむように配置され、それぞれの爪の先端部が互いに近づく方向に所定の角度で曲げられている。当該角度は、少なくともＬＥＤの組み付けを阻害せず、かつ、組み付けられたＬＥＤを支持可能な程度（例えば、３６０度法による１３０度程度の鈍角）であればよい。また、支持爪のうちＬＥＤの円筒部２１１と接する面は、ＬＥＤの円筒部２１１の曲率に合うように形成されており、かつ、ＬＥＤの円筒部２１１が上下方向にぐらつかないように、円筒部の下面の一部を支えるように面取されている。
【００２４】
曲げ支点部２２４は、ＬＥＤのアノード側リード線２１３Ａおよびカソード側リード線２１３ＣをＬＥＤの取付方向に応じて折り曲げる際に、折り曲げの支点となる位置でリード線と接するように面取されて設けられる。なお、曲げ支点部２２４は、リード線を曲げる際にかかる力を支点に集中させることで、曲げ位置を安定させて円筒部２１１とリード線との接合部のねじれ等によるリード線の断線や取付精度の低下を防ぐためのものである。
【００２５】
図６は、第三の信号発信部３００の周辺を拡大してＹ方向からみた側面図である。また、図７は、第三の信号発信部３００の周辺について、ＬＥＤ取付ユニット１０００のＡ−Ａ線によるＹ方向から見た断面図である。第三の信号発信部３００は、ＬＥＤを所定の方向に固定して取り付けるための部材を備える。ＬＥＤは、アノード側リード線３１３Ａとカソード側リード線（３１３Ｃ）とを有し、両リード線の間に電流が流れると発光する。発光部は、円筒状の形状を有する円筒部３１１と、当該円筒部３１１の先端を形成するドーム部３１２と、を有する。
【００２６】
第三の信号発信部３００は、ＬＥＤのアノード側リード線３１３Ａとカソード側リード線３１３Ｃとの間に位置するよう設けられた曲げガイド板３２１と、ＬＥＤの円筒部３１１の外周を複数の方向（例えば、左右方向）から挟み込んで支持する支持爪（右側支持爪３２２Ｒ、左側支持爪３２２Ｌ）と、ＬＥＤのアノード側リード線３１３Ａおよびカソード側リード線３１３Ｃによりそれぞれ貫通される右側ガイド孔３２３Ｒ、左側ガイド孔３２３Ｌと、ＬＥＤのアノード側リード線３１３Ａおよびカソード側リード線３１３ＣをＬＥＤの取付方向に応じて折り曲げる支点となる曲げ支点部３２４と、を備える。なお、ＬＥＤのカソード側リード線３１３Ｃにより貫通される左側ガイド孔３２３Ｌは、曲げガイド板３２１を軸として右側ガイド孔３２３Ｒと対称の位置に設けられている。
【００２７】
曲げガイド板３２１は、板厚がＬＥＤのアノード側リード線３１３Ａとカソード側リード線３１３Ｃとの間に収まる程度（例えば、１ｍｍ程度）であり、ＬＥＤ取付ユニット１０００の上面と略垂直になるよう設けられている。また、曲げガイド板３２１は、ＬＥＤ取付ユニット１０００の上面から遠い上辺３２１Ｇが、左側ガイド孔３２３Ｌからの距離が略等距離となる弧状に形成されている。曲げガイド板３２１は、さらに、ストッパ部３２１Ｓを備える。ストッパ部３２１Ｓは、ＬＥＤの取付角度に応じて、円筒部３１１のリード線が設けられた側の平面（以下、ＬＥＤ底面とする）と、円筒部３１１の側面のうちＬＥＤ取付ユニット１０００の上面に最も接近する部位と、の二面を支持するためにある。ストッパ部３２１Ｓのうち、円筒部３１１の側面を支持する面は、ＬＥＤの照射軸と平行に形成され、ＬＥＤの底面を支持する面は、ＬＥＤの照射軸に垂直に形成される。
【００２８】
なお、第三の信号発信部３００のＬＥＤの照射方向は、第一の信号発信部１００および第二の信号発信部２００の照射方向と比べてＬＥＤ取付ユニット１０００の上面と平行に近い。そのため、ＬＥＤ取付ユニット１０００の上面より突出するＬＥＤのリード線の長さが長くなり、曲げガイド板３２１は、その分だけＬＥＤ取付ユニット１０００の上面からの高さを高くするのが理想的である。しかし、図６、図７に示す第三の信号発信部３００においては、ＬＥＤ取付ユニット１０００のさらに上部を覆う電子装置の筐体とのクリアランスを確保するために、曲げガイド板３２１の高さを低く変形させている。すなわち、所定の高さ以上の部分については、曲げガイド板３２１を省略している。
【００２９】
左側支持爪３２２Ｌおよび右側支持爪３２２Ｒは、ＬＥＤの円筒部３１１を挟みこむように配置され、それぞれの爪の先端部が互いに近づく方向に所定の角度で曲げられている。当該角度は、少なくともＬＥＤの組み付けを阻害せず、かつ、組み付けられたＬＥＤを支持可能な程度（例えば、３６０度法による１３０度程度の鈍角）であればよい。また、支持爪のうちＬＥＤの円筒部３１１と接する面は、ＬＥＤの円筒部３１１の曲率に合うように形成されており、かつ、ＬＥＤの円筒部３１１が上下方向にぐらつかないように、円筒部の下面の一部を支えるように面取されている。
【００３０】
曲げ支点部３２４は、ＬＥＤのカソード側リード線３１３Ｃおよびアノード側リード線３１３ＡをＬＥＤの取付方向に応じて折り曲げる際に、折り曲げの支点となる位置でリード線と接するように面取されて設けられる。なお、曲げ支点部３２４は、リード線を曲げる際にかかる力を支点に集中させることで、曲げ位置を安定させて円筒部３１１とリード線との接合部のねじれ等によるリード線の断線や取付精度の低下を防ぐためのものである。
【００３１】
図８は、第四の信号発信部４００の周辺を拡大してＺ方向からみた側面図である。また、図９は、第四の信号発信部４００の周辺について、ＬＥＤ取付ユニット１０００のＣ−Ｃ線によるＺ方向から見た断面図である。第四の信号発信部４００は、ＬＥＤを所定の方向に固定して取り付けるための部材を備える。ＬＥＤは、アノード側リード線４１３Ａとカソード側リード線（４１３Ｃ）とを有し、両リード線の間に電流が流れると発光する。発光部は、円筒状の形状を有する円筒部４１１と、当該円筒部４１１の先端を形成するドーム部３１２と、を有する。
【００３２】
第四の信号発信部４００は、ＬＥＤのアノード側リード線４１３Ａとカソード側リード線４１３Ｃとの間に位置するよう設けられた曲げガイド板４２１と、ＬＥＤの円筒部４１１の外周を複数の方向（例えば、左右方向）から挟み込んで支持する支持爪（右側支持爪４２２Ｒ、左側支持爪４２２Ｌ）と、ＬＥＤのアノード側リード線４１３Ａおよびカソード側リード線４１３Ｃによりそれぞれ貫通される右側ガイド孔４２３Ｒ、左側ガイド孔４２３Ｌと、ＬＥＤのアノード側リード線４１３Ａおよびカソード側リード線４１３ＣをＬＥＤの取付方向に応じて折り曲げる支点となる曲げ支点部４２４と、を備える。なお、ＬＥＤのカソード側リード線４１３Ｃにより貫通される左側ガイド孔４２３Ｌは、曲げガイド板３２１を軸として右側ガイド孔３２３Ｒと対称の位置に設けられている。
【００３３】
曲げガイド板４２１は、板厚がＬＥＤのアノード側リード線４１３Ａとカソード側リード線４１３Ｃとの間に収まる程度（例えば、１ｍｍ程度）であり、ＬＥＤ取付ユニット１０００の上面と略垂直になるよう設けられている。また、曲げガイド板４２１は、ＬＥＤ取付ユニット１０００の上面から遠い上辺４２１Ｇが、右側ガイド孔４２３Ｒからの距離が略等距離となる弧状に形成されている。曲げガイド板４２１は、さらに、ストッパ部４２１Ｓを備える。ストッパ部４２１Ｓは、ＬＥＤの取付角度に応じて、円筒部４１１のリード線が設けられた側の平面（以下、ＬＥＤ底面とする）と、円筒部４１１の側面のうちＬＥＤ取付ユニット１０００の上面に最も接近する部位と、の二面を支持するためにある。ストッパ部４２１Ｓのうち、円筒部４１１の側面を支持する面は、ＬＥＤの照射軸と平行に形成され、ＬＥＤの底面を支持する面は、ＬＥＤの照射軸に垂直に形成される。
【００３４】
なお、第四の信号発信部４００のＬＥＤの照射方向は、第三の信号発信部３００と同様に、第一の信号発信部１００および第二の信号発信部２００の照射方向と比べてＬＥＤ取付ユニット１０００の上面と平行に近い。そのため、ＬＥＤ取付ユニット１０００の上面より突出するＬＥＤのリード線の長さが長くなり、曲げガイド板４２１は、その分だけＬＥＤ取付ユニット１０００の上面からの高さを高くするのが理想的である。しかし、図８、図９に示す第四の信号発信部４００においては、ＬＥＤ取付ユニット１０００のさらに上部を覆う電子装置の筐体とのクリアランスを確保するために、曲げガイド板４２１の高さを低く変形させている。すなわち、所定の高さ以上の部分については、曲げガイド板４２１を省略している。
【００３５】
左側支持爪４２２Ｌおよび右側支持爪４２２Ｒは、ＬＥＤの円筒部４１１を挟みこむように配置され、それぞれの爪の先端部が互いに近づく方向に所定の角度で曲げられている。当該角度は、少なくともＬＥＤの組み付けを阻害せず、かつ、組み付けられたＬＥＤを支持可能な程度（例えば、３６０度法による１３０度程度の鈍角）であればよい。また、支持爪のうちＬＥＤの円筒部４１１と接する面は、ＬＥＤの円筒部４１１の曲率に合うように形成されており、かつ、ＬＥＤの円筒部４１１が上下方向にぐらつかないように、円筒部の下面の一部を支えるように面取されている。
【００３６】
曲げ支点部４２４は、ＬＥＤのカソード側リード線４１３Ｃおよびアノード側リード線４１３ＡをＬＥＤの取付方向に応じて折り曲げる際に、折り曲げの支点となる位置でリード線と接するように面取されて設けられる。なお、曲げ支点部４２４は、リード線を曲げる際にかかる力を支点に集中させることで、曲げ位置を安定させて円筒部４１１とリード線との接合部のねじれ等によるリード線の断線や取付精度の低下を防ぐためのものである。
【００３７】
ここで、ＬＥＤ取付ユニット１０００上の各信号発信部において、ＬＥＤを取り付ける要領について図１０を用いて説明する。図１０（ａ）および図１０（ｂ）は、当該取り付けの要領を説明する斜視図である。
【００３８】
まず、ＬＥＤ１０のアノード側リード線１３Ａおよびカソード側リード線１３Ｃをそれぞれ、右側ガイド孔２３Ｒおよび左側ガイド孔２３Ｌに差し込む。その際、ＬＥＤ１０の円筒部１１が、曲げガイド板２１の頂部に接触する高さを目安に差し込む。すなわち、ＬＥＤ取付ユニット１０００の上面からのリード線の突出量（高さ）は、曲げガイド板２１の高さと同量となるため、必要以上に差し込みすぎてしまうことを避けることができる。図１０（ａ）は、ＬＥＤ１０の各リード線をＬＥＤ取付ユニット１０００に差し込んだ状態を示す図である。
【００３９】
次に、ＬＥＤ１０の円筒部１１を曲げガイド板２１の上辺２１Ｇに沿うように左側支持爪２２Ｌおよび右側支持爪２２Ｒに近づけて、両爪により円筒部１１を挟み込ませる。その際、曲げガイド板２１のストッパ部２１Ｓに阻害されて、円筒部１１が必要以上に倒れこむことを避けることができる。また、ストッパ部２１ＳがＬＥＤ底部の奥方向（右側ガイド孔２３Ｒおよび左側ガイド孔２３Ｌ方向）への移動を制限するので、ＬＥＤの位置が固定化される。図１０（ｂ）は、ＬＥＤ１０の円筒部１１を両爪に挟み込ませた状態を示す図である。
【００４０】
以上が、本発明の一つの実施形態を適用したＬＥＤ取付ユニット１０００の例である。このように、上記実施形態によれば、ＬＥＤ１０のアノード側リード線１３Ａおよびカソード側リード線１３Ｃは曲げ支点部２４との接触部においてゆるやかに曲がり、リード線と円筒部１１との接触部に不要な力がかかることを避けつつ、ＬＥＤ１０の照射方向が設計通りになるように簡便にかつ位置精度高く取り付けることができる。なお、上記実施形態においては、ＬＥＤのリード線についてアノード側とカソード側を特定しているが、これに限られず、回路基板の形態によって逆に入れ替えてもよいことはいうまでもない。
【００４１】
本発明は、上記の実施形態に制限されない。上記実施形態は、本発明の技術的思想の範囲内で様々な変形が可能である。例えば、上記の実施形態においては、ＬＥＤ取付ユニット１０００は、曲げガイド部２１と、曲げ支点部２４と、ストッパ部２１Ｓと、左側支持爪２２Ｌおよび右側支持爪２２Ｒと、をすべて備えているが、これに限られるものではない。これらのうち、一つまたは複数の要素について任意に組み合わせることとしてもよい。
【００４２】
以上、本発明について、実施形態を中心に説明した。なお、上記の実施形態では、本発明をヘッドセット用信号発信部に適用した例について説明したが、本発明はこれに限らず、指向性の強い部材（各種発光素子、受光素子等、二本のリード線を有する電子部品）の支持構造全般に適用することができる。
【符号の説明】
【００４３】
１０・・・ＬＥＤ、１１，１１１，２１１，３１１，４１１・・・円筒部、１２，１１２，２１２，３１２，４１２・・・ドーム部、１３Ａ，１１３Ａ，２１３Ａ，３１３Ａ，４１３Ａ・・・アノード側リード線、１３Ｃ，１１３Ｃ，２１３Ｃ,３１３Ｃ，４１３Ｃ・・・カソード側リード線、２１，１２１，２２１，３２１，４２１・・・曲げガイド板、２１Ｇ，１２１Ｇ，２２１Ｇ，３２１Ｇ，４２１Ｇ・・・上辺、２１Ｓ，１２１Ｓ，２２１Ｓ，３２１Ｓ，４２１Ｓ・・・ストッパ部、２２Ｒ，１２２Ｒ，２２２Ｒ，３２２Ｒ，４２２Ｒ・・・右側支持爪、２２Ｌ，１２２Ｌ，２２２Ｌ，３２２Ｌ，４２２Ｌ・・・左側支持爪、２３Ｒ，１２３Ｒ,２２３Ｒ，３２３Ｒ，４２３Ｒ・・・右側ガイド孔、２３Ｌ，１２３Ｌ，２２３Ｌ,３２３Ｌ，４２３Ｌ・・・左側ガイド孔、２４，１２４，２２４，３２４，４２４・・・曲げ支点部、１００・・・第一の信号発信部、２００・・・第二の信号発信部、３００・・・第三の信号発信部、４００・・・第四の信号発信部、１０００・・・ＬＥＤ取付ユニット、１０００ａ・・・係合爪、２０００・・・基板
【図１】
2011134980.tif 000003
【図２】
2011134980.tif 000004
【図３】
2011134980.tif 000005
【図４】
2011134980.tif 000006
【図５】
2011134980.tif 000007
【図６】
2011134980.tif 000008
【図７】
2011134980.tif 000009
【図８】
2011134980.tif 000010
【図９】
2011134980.tif 000011
【図１０】
2011134980.tif 000012